(57)【要約】【課題】画像データを外部の記録メディアにバックアップしたり、バックアップ元の画像データを削除したりする際に、その都度記録メディア側と通信しなくても、無駄なバックアップを回避したり、画像データを的確に削除したりできるようにする。【解決手段】画像データを外部の記録メディアにバックアップする動画像処理装置１０１は、バックアップ元の画像データの画像情報を取得するオリジナル画像情報取得部１０８と、該バックアップ元の画像のバックアップ画像データの画像情報を取得するバックアップ画像情報取得部１０９と、バックアップ元の画像データの画像情報とバックアップ画像データの画像情報とを比較して差分情報を検出し、その差分情報をバックアップ元の画像データに関連付けて記録する差分情報検出記録部１１０とを備える。【選択図】図１
2015146170.tif 000002
【特許請求の範囲】
【請求項１】
画像データを外部の記録メディアにバックアップする画像処理装置であって、
バックアップ元の画像データの画像情報を取得する元画像情報取得手段と、
前記バックアップ元の画像データのバックアップ画像データの画像情報を取得するバックアップ画像情報取得手段と、
前記バックアップ元の画像データの画像情報と前記バックアップ画像データの画像情報とを比較して差分情報を検出し、前記差分情報を前記バックアップ元の画像データに関連付けて記録する検出記録手段とを備えたことを特徴とする画像処理装置。
【請求項２】
前記検出記録手段は、バックアップの実行前に差分情報を検出することを特徴とする請求項１に記載の画像処理装置。
【請求項３】
前記検出記録手段は、新規差分情報を検出した際に、前記新規差分情報とバックアップ元の画像データに関連付けて記録済みの差分情報とを比較し、前記新規差分情報の方が前記バックアップ元の画像データに対する差分が小さい場合、バックアップを実行させることを特徴とする請求項２に記載の画像処理装置。
【請求項４】
前記検出記録手段は、バックアップ先情報を前記バックアップ元の画像データに関連付けて記録することを特徴とする請求項１乃至３のいずれか１項に記載の画像処理装置。
【請求項５】
前記画像情報は、解像度情報、ビットレート情報、フレームレート情報、アスペクト比情報、レターボックス設定情報、サイドブラック設定情報、サイドクロップ設定情報、カラーサンプリング情報のうち少なくともいずれかを含むことを特徴とする請求項１乃至４のいずれか１項に記載の画像処理装置。
【請求項６】
画像データを外部の記録メディアにバックアップする画像処理装置の制御方法であって、
バックアップ元の画像データの画像情報を取得するステップと、
前記バックアップ元の画像のバックアップ画像データの画像情報を取得するステップと、
前記バックアップ元の画像データの画像情報と前記バックアップ画像データの画像情報とを比較して差分情報を検出するステップと、
前記差分情報を前記バックアップ元の画像データに関連付けて記録するステップとを有することを特徴とする画像処理装置の制御方法。
【請求項７】
画像データを外部の記録メディアにバックアップする画像処理装置の制御方法であって、
バックアップ元の画像データの画像情報を取得する処理と、
前記バックアップ元の画像のバックアップ画像データの画像情報を取得する処理と、
前記バックアップ元の画像データの画像情報と前記バックアップ画像データの画像情報とを比較して差分情報を検出する処理と、
前記差分情報を前記バックアップ元の画像データに関連付けて記録する処理とをコンピュータに実行させるためのプログラム。
【発明の詳細な説明】
【技術分野】
【０００１】
本発明は、画像データを外部の記録メディアにバックアップする画像処理装置、その制御方法及びプログラムに関する。
【背景技術】
【０００２】
近年の画像処理に関する作業環境では、画像データをコンピュータで取り扱い可能なデータファイル形式で処理する、いわゆるファイルベース化が進行している。
一方、近年のコンピュータ環境は、コンピュータ自体の高性能化及び高機能化に加え、記録メディアの多様化、ネットワーク環境の拡充が進行している。記録メディアに関しては、メモリカードやハードディスクドライブ、光学ディスクドライブ等がある。ネットワーク環境に関しては、ソーシャルネットワークサービスや動画／静止画共有サービス等のネットワークサービスが広まってきている。
【０００３】
そして、画像データファイルを、ネットワーク上を含む様々な記録メディアに保存する機会が増えている。
信頼性向上のために、画像データファイルを、ネットワーク上を含む様々な記録メディアに保存する機会がある。例えば撮像装置で撮影した画像データファイルを、ネットワーク上を含む様々な記録メディアに保存することが考えられる。それら保存する理由の一つに、データのバックアップがある。近年のコンピュータ及び記録メディアの信頼性は向上しているが、故障率がゼロになることはない。そのため、複数の記録メディアに同一の画像データファイルを複製して保存することで、故障発生による画像データファイルの消失を回避する。
【０００４】
また、利便性向上のために、画像データファイルを、ネットワーク上を含む様々な記録メディアに保存する機会がある。例えば自宅のコンピュータからも、外出先で用いる携帯型情報機器からも、等しくアクセス可能なネットワーク上の画像保管サーバを利用することがある。具体的には、自宅のコンピュータや外出先で用いる携帯型情報機器から画像保管サーバに画像データファイルを転送して、画像保管サーバで保存する。そして、自宅のコンピュータや外出先で用いる携帯型情報機器から、画像保管サーバに保存された画像データファイルを読みに行くことで、自宅に居ても、外出先に居ても、等しく画像データファイルを読んだり保存したりすることが可能となる。
このとき、自宅のコンピュータ、外出先で用いる携帯型情報機器、そして画像保管サーバの記憶可能容量が課題となることがある。記憶したい単一又は複数の画像データファイルの容量が記憶可能容量を超えてしまい、保存したい箇所に保存できない事態が生ずる。
この場合に、同一の画像データファイルを、自宅のコンピュータ、携帯型情報機器及び画像保管サーバのいずれか複数箇所で保管したいとき、１箇所ではファイルサイズを変更せずに画像データファイルを保存し、その他の箇所では解像度等を低減させた縮小画像に変換してファイルサイズを低減した画像データファイルを保存することにより、自宅のコンピュータ、携帯型情報機器及び画像保管サーバの全体として、保存画像容量を低減することが考えられる。例えば特許文献１には、パソコンが自己の記録手段に記録されている第１のファイル情報と、パソコンがサーバの記録手段に記録されている第２のファイル情報とを取得して比較し、該比較の結果、サーバの記録手段に新たに記録された主画像がパソコンの記録手段には記録されていないと判断した場合には、サーバからサーバにて作成した該主画像の縮小画像を取得して、パソコンの記録手段に記録するようにした構成が開示されている。
【先行技術文献】
【特許文献】
【０００５】
【特許文献１】特開２００３−６２１３号公報
【発明の概要】
【発明が解決しようとする課題】
【０００６】
しかしながら、上記従来例では、以下のような問題点があった。
画像データファイルの削除や、印刷、加工、表示等の処理を行う度に、自宅のコンピュータ、携帯型情報機器、画像保管サーバの間で通信を行い、各々の記録メディアに保存されている画像データファイルのファイル情報を取得する必要があった。
例えば携帯型情報機器の場合、外出先となる場所は様々である。通信が困難な場所であった場合、通信を行うことができないため、ファイル情報の取得ができず、画像データファイルの削除や、印刷、加工、表示等の処理をただちに的確に行うことができないことがあった。
特に、携帯型情報機器がデジタルカメラやデジタルビデオカメラ等の撮像記録装置であった場合、その問題は顕著になる。撮像記録装置は新たに被写体を撮像して画像データファイルを生成するため、多くの場合、撮像記録装置上の画像データファイルがオリジナルとなる。その画像データファイルをネットワーク経由で画像保管サーバに転送してバックアップする場合、通信速度の制約、画像保管サーバの保存可能容量の制約等の理由で、画像データファイルのサイズを縮小して転送することがある。そして、撮像記録装置は、携帯型であるため、装置の大きさや重量等の問題から、撮像記録装置での保存可能容量は比較的少ないことが多い。更には、撮像記録装置の用途として、シャッターチャンスを逃さず大切な場面を記録に残したい要望がある。そういった場面で、撮像記録装置自体の保存可能容量が残り少なくなり、緊急で記録済みの画像データファイルを削除したい事態がしばしば生じる。しかしながら、前述の通り、通信が困難な場合、画像データファイルの適切な削除ができないことがある。
例えば画像保管サーバへは縮小画像データファイルのみバックアップ済みの状態であるにも関わらず、通信が困難なためのその状態を知ることができないという事態が生じる。この場合に、撮像記録装置上のオリジナル画像データファイルを削除してしまうと、オリジナル画像データファイルを取得することは不可能となる。
【０００７】
また、無駄なバックアップを行ってしまう問題もあった。画像保管サーバにオリジナル画像データと同等のバックアップを保存済みであるが、画像保管サーバとの通信が困難な場合、携帯型情報機器側からは画像保管サーバに同等のバックアップが保存済みであるかどうかが判断できない。そのため、携帯型情報機器から直接接続可能な記録メディア等に再度バックアップを実施してしまう場合がある。この場合、画像保管サーバにはオリジナル画像データと同等のバックアップは保存済みであるため、直接接続可能な記録メディア等へのバックアップは無駄な作業となってしまう。
【０００８】
本発明は上記のような点に鑑みてなされたものであり、画像データを外部の記録メディアにバックアップしたり、バックアップ元の画像データを削除したりする際に、その都度記録メディア側と通信しなくても、無駄なバックアップを回避したり、画像データを的確に削除したりできるようにすることを目的とする。
【課題を解決するための手段】
【０００９】
本発明の画像処理装置は、画像データを外部の記録メディアにバックアップする画像処理装置であって、バックアップ元の画像データの画像情報を取得する元画像情報取得手段と、前記バックアップ元の画像データのバックアップ画像データの画像情報を取得するバックアップ画像情報取得手段と、前記バックアップ元の画像データの画像情報と前記バックアップ画像データの画像情報とを比較して差分情報を検出し、前記差分情報を前記バックアップ元の画像データに関連付けて記録する検出記録手段とを備えたことを特徴とする。
【発明の効果】
【００１０】
本発明によれば、差分情報をバックアップ元の画像データに関連付けて記録するようにしたので、画像データを外部の記録メディアにバックアップしたり、バックアップ元の画像データを削除したりする際に、その都度記録メディア側と通信しなくても、無駄なバックアップを回避したり、画像データを的確に削除したりすることが可能になる。
【図面の簡単な説明】
【００１１】
【図１】第１の実施形態に係る動画像処理装置の構成を示すブロック図である。
【図２】第１の実施形態においてモニタに表示される画面の例を示す図である。
【図３】第１の実施形態におけるクリップデータのデータ構造の詳細を説明するための図である。
【図４】第１の実施形態におけるバックアップ処理の手順を示すフローチャートである。
【図５】第１の実施形態における削除処理の手順を示すフローチャートである。
【図６】第２の実施形態におけるバックアップ処理の手順を示すフローチャートである。
【図７】第３の実施形態におけるクリップデータのデータ構造の詳細を説明するための図である。
【図８】第３の実施形態におけるバックアップ処理の手順を示すフローチャートである。
【発明を実施するための形態】
【００１２】
以下、添付図面を参照して、本発明の好適な実施形態について説明する。
＜第１の実施形態＞
図１は、第１の実施形態に係る動画像処理装置１０１の構成を示すブロック図である。
１０２はユーザ操作部であり、押しボタンスイッチ等のユーザ操作を検出する部材で構成される。
１０３はシステム制御マイコンであり、ユーザ操作部１０２で検出したユーザ操作を解析し、その解析結果に基づいて各部を制御する。
１０４は再生制御部であり、システム制御マイコン１０３から発せられる制御信号に基づいて再生処理の制御を行う。１０５は動画像データ管理部であり、データ管理に関する処理を行う。１０６は動画像再生処理部であり、動画像再生に関する処理を行う。
【００１３】
１３１は通信制御部であり、システム制御マイコン１０３から発せられる制御信号に基づいて通信に関する制御を行う。１３２はアンテナであり、無線ＬＡＮやＢｌｕｅｔｏｏｔｈ（登録商標）等の無線通信を行うためのアンテナである。１３３は通信端子であり、ＵＳＢやイーサネット（登録商標）等の有線通信を行う際に通信ケーブルを接続するための通信端子である。アンテナ１３２や通信端子１３３を経由し、不図示のネットワーク上の画像保管サーバ等と無線ＬＡＮ経由で接続したり、不図示のパーソナルコンピュータ等とＵＳＢ接続したりする。それら画像保管サーバやパーソナルコンピュータは、動画像データを保存可能な記録メディアを備えている。
【００１４】
１０７はバックアップ制御部であり、システム制御マイコン１０３から発せられる制御信号に基づいてバックアップに関する制御を行う。１０８はオリジナル画像情報取得部であり、バックアップ元のクリップデータ１１３の動画像データ（バックアップ元の画像データ）の画像情報を取得する。１０９はバックアップ画像情報取得部であり、通信制御部１３１を経由してバックアップされた或いはバックアップされるクリップデータの動画像データ（バックアップ画像データ）の画像情報を取得する。１１０は差分情報検出記録部であり、オリジナル画像情報取得部１０８で取得したバックアップ元の画像データの画像情報と、バックアップ画像情報取得部１０９で取得したバックアップ画像データの画像情報とを比較して差分情報を生成し、バックアップ元のクリップデータ１１３に記録する。
【００１５】
１１１は記録媒体制御部であり、再生制御部１０４の動画像データ管理部１０５からの指示により記録媒体を制御して動画像データを取得し、その取得した動画像データを動画像データ管理部１０５に送信する。１１２は記録装置であり、動画像処理装置１０１で処理する動画像データを格納する。記録装置１１２としては、ハードディスク、フラッシュメモリ等が用いられる。１１３はクリップデータであり、１つの動画像データを含む。クリップデータ１１３を１つのみ図示しているが、複数のクリップデータ１１３が記録装置１１２に記録されることもある。
【００１６】
１２１は記録媒体Ａであり、不図示のビデオカメラに着脱可能であり、ビデオカメラで撮影し記録されたクリップデータが格納されている。記録媒体としては、ＳＤカード、ＣＦカード等が用いられる。１２２はスロットＡであり、記録媒体Ａ１２１を動画像処理装置１０１に対して着脱可能とするための接続部である。１２３は外部記録媒体制御部Ａであり、記録媒体Ａ１２１に記録された動画像データを読み出して再生制御部１０４に転送する等の制御を行う。
同様に、１２４は記録媒体Ｂであり、不図示のビデオカメラに着脱可能であり、ビデオカメラで撮影し記録されたクリップデータが格納されている。記録媒体としては、ＳＤカード、ＣＦカード等が用いられる。１２５はスロットＢであり、記録媒体Ｂ１２４を動画像処理装置１０１に対して着脱可能とするための接続部である。１２６は外部記録媒体制御部Ａであり、記録媒体Ｂ１２４に記録された動画像データを読み出して再生制御部１０４に転送する等の制御を行う。
【００１７】
１１７は表示制御部であり、再生制御部１０４の動画像再生処理部１０６から再生画像データを受け取り、表示のための制御を行う。また、再生制御部１０４から表示メッセージ文言を受け取り、表示のための制御を行う。画面の構成に適合するように、それら受け取った文言を処理して、表示画面全体の構成を生成する。１１８はモニタ表示回路であり、表示制御部１１７で生成した実際に表示したい画面を、モニタ表示するための実際の信号に変換する。１１９はモニタであり、モニタ表示回路１１８から信号を受け取り、実際にユーザが視聴するための最終的な表示を行う。
【００１８】
図２は、モニタ１１９に表示される画面の例を示す図である。
２０１は画面全体である。
２０２はクリップ一覧表示領域であり、記録装置１１２に記録されているクリップデータ１１３の一覧を表示する。２０３、２０４、２０５はサムネイル代表画像であり、各クリップデータの動画像データを構成するフレームの中から、その動画像データを代表するフレームを静止画像として表示する。図示例では、クリップ一覧表示領域２０２に３つのクリップデータが表示されている。２０６、２０７、２０８はメタデータ表示領域であり、クリップデータに関する各種メタデータを表示する。２０９はクリップ選択枠であり、サムネイル代表画像２０３、２０４、２０５のいずれかをユーザ操作部１０２で選択操作すると、そのサムネイル代表画像で示されるクリップデータが選択状態となる。図示例では、サムネイル代表画像２０５が選択状態となっている。
２１０は動画像再生領域であり、クリップ選択枠２０９で選択されたクリップデータの動画像データを再生するとき、この領域に表示する。また、ユーザに対してメッセージを通知するとき、この領域に表示する。
【００１９】
２１１はスライダーバー、２１２はスライダーである。スライダー２１２は、スライダーバー２１１の表示範囲内で、左右方向に移動可能である。スライダーバー２１１の左右方向の全長は、選択されたクリップデータの動画像データの時間軸上の全体を示す。スライダーバー２１１の左端は動画像データの先頭フレーム、右端は動画像データの最終フレームに対応する。スライダー２１２がスライダーバー２１１の上で表示される位置は、動画像データの時間軸上の再生されているフレーム位置に対応する。動画像データを再生開始するとき、スライダー２１２はスライダーバー２１１の左端に位置する。動画像データを再生中、再生するフレームが進行すると共にスライダー２１２の位置は次第に右側に移動していく。この移動の仕方は、実際のフレームの再生位置と、スライダーバー２１１に対するスライダー２１２の位置は比例するように表示する。例えば記録時間が３０分の動画像データの場合、先頭フレームから再生開始して１２分経過したとき、記録時間のうち４０％を再生したことになる。そのとき、スライダー２１２の表示位置は、スライダーバー２１１の左右方向の全長に対して、左端から４０％の位置となる。
【００２０】
２１６は先頭フレームボタンであり、ユーザ操作部１０２で先頭フレームボタン２１６の押下操作が検出された場合、動画像再生領域２１０に再生するフレームを先頭フレームとする。２１７は逆フレーム送りボタンであり、ユーザ操作部１０２で逆フレーム送りボタン２１７の押下操作が検出された場合、動画像再生領域２１０に再生するフレームを、現在のフレーム位置から１つ前のフレームに変更する。２１８は再生停止ボタンであり、ユーザ操作部１０２で再生停止ボタン２１８の押下操作が検出された場合、押下操作検出前が再生停止状態であれば再生実行開始し、再生実行状態であれば再生停止する、いわゆるトグル的な操作を行う。なお、再生停止ボタン２１８の押下操作で実行されるのは、実時間での再生、いわゆる１倍速再生である。以降、１倍速再生を、単に、再生と表記する。また、再生停止操作時は、停止操作時点で動画像再生領域２１０に表示していた画像をそのまま表示し続ける状態とする。いわゆる一時停止状態であるが、以降、これを、単に、停止と表記する。２１９は順フレーム送りボタンであり、ユーザ操作部１０２で順フレーム送りボタン２１９の押下操作が検出された場合、動画像再生領域２１０に再生するフレームを、現在のフレーム位置から１つ後のフレームに変更する。２２０は最終フレームボタンであり、ユーザ操作部１０２で、最終フレームボタン２２０の押下操作が検出された場合、動画像再生領域２１０に再生するフレームを最終フレームとする。
２３１はバックアップボタンであり、ユーザ操作部１０２でバックアップボタン２３１の押下操作が検出された場合、クリップ一覧表示領域２０２で選択中のクリップデータに対して、バックアップ処理を実行する。２３２は削除ボタンであり、ユーザ操作部１０２で削除ボタン２３２の押下操作が検出された場合、クリップ一覧表示領域２０２で選択中のクリップデータに対して、削除処理を実行する。
【００２１】
図３は、記録装置１１２、記録媒体Ａ１２１、記録媒体Ｂ１２４に記録されるクリップデータのデータ構造の詳細を説明するための図である。
３０１はクリップデータであり、図１に示したクリップデータ１１３に相当する。
３１１は動画像データである。図示例では動画像データ３１１に「ＡＡ０１」という動画像データ名が付与されている。
【００２２】
３２１は管理データである。管理データ３２１には、動画像データ名３２２、解像度情報３２３、ビットレート情報３２４、フレームレート情報３２５が画像情報として記録される。動画像データ名３２２は、動画像データ３１１と管理データ３２１との対応を明確にするために記録される。解像度情報３２３は、動画像データ３１１の解像度が記録される。図示例では解像度「１９２０×１０８０」、いわゆるフルＨＤ解像度で記録されていることを示している。ビットレート情報３２４は、動画像データ３１１のビットレートが記録される。図示例ではビットレート「２４Ｍｂｐｓ」で記録されていることを示している。フレームレート情報３２５は、動画像データ３１１のフレームレートが記録される。図示例ではフレームレート「６０ｉ」で記録されていることを示している。
【００２３】
３３１は差分データであり、バックアップ元の画像データである動画像データ３１１の画像情報と、バックアップ画像データの画像情報とを比較して生成される差分情報である。差分データ３３１には、動画像データ名３３２、解像度差分情報３３３、ビットレート差分情報３３４、フレームレート差分情報３３５が記録される。動画像データ名３３２は、動画像データ３１１と差分データ３３１との対応を明確にするために記録される。解像度差分情報３３３は、バックアップ元の画像データの解像度とバックアップ画像データの解像度との差分が記録される。図示例では動画像データ３１１が解像度差分「差分無し」、すなわち解像度の変更なくバックアップ記録されていることを示している。ビットレート差分情報３３４は、バックアップ元の画像データのビットレートとバックアップ画像データのビットレートとの差分が記録される。図示例では、動画像データ３１１がビットレート「１０Ｍｂｐｓ」に変更されてバックアップ記録されていることを示している。フレームレート差分情報３３５は、バックアップ元の画像データのフレームレートとバックアップ画像データのフレームレートとの差分が記録される。図示例では、動画像データ３１１がフレームレート差分「差分無し」でバックアップ記録されていることを示している。
【００２４】
図４は、第１の実施形態に係る動画像処理装置１０１によるバックアップ処理の手順を示すフローチャートである。図４のフローチャートは、システム制御マイコン１０３及びバックアップ制御部１０７にて実行される。
ステップＳ４０１において、システム制御マイコン１０３は、ユーザ操作部１０２でバックアップ処理開始指示の操作があったか否かを監視している。バックアップ処理開始指示の操作がない場合、監視を継続する。
バックアップ処理開始指示の操作がある場合、ステップＳ４０２に進む。ステップＳ４０２において、バックアップ制御部１０７は、通信制御部１３１を経由して、画像保管サーバやパーソナルコンピュータ等の外部の記録メディアに、選択されたクリップデータ１１３のバックアップを実行する。バックアップを実行するにあたり、バックアップ制御部１０７では、外部の記録メディアの制約条件を加味し、該クリップデータ１１３の動画像データの記録形式を変更した上で、バックアップを実行する。
ステップＳ４０３において、バックアップ制御部１０７は、バックアップ元のオリジナルクリップデータ１１３の画像情報を取得する。
ステップＳ４０４において、バックアップ制御部１０７は、バックアップクリップデータの画像情報を取得する。
ステップＳ４０５において、バックアップ制御部１０７は、ステップＳ４０３で取得したオリジナルクリップデータ１１３の画像情報と、ステップＳ４０４で取得したバックアップクリップデータの画像情報とを比較して差分情報を検出し、オリジナルクリップデータ１１３に差分情報を記録する。その後、処理終了となる。
【００２５】
図５は、第１の実施形態に係る動画像処理装置１０１による削除処理の手順を示すフローチャートである。図５のフローチャートは、システム制御マイコン１０３にて実行される。
ステップＳ５０１において、システム制御マイコン１０３は、ユーザ操作部１０２で削除処理開始指示の操作があったか否かを監視している。削除処理開始指示の操作がない場合、監視を継続する。
削除処理開始指示の操作がある場合、ステップＳ５０２に進む。ステップＳ５０２において、システム制御マイコン１０３は、選択されたクリップデータ１１３から差分情報を取得する。
ステップＳ５０３において、システム制御マイコン１０３は、差分情報に差分のあるものが存在するか否かを判定する。差分なしの場合、ステップＳ５０６に進み、該クリップデータ１１３の削除を実行する。差分ありの場合、ステップＳ５０４に進む。ステップＳ５０４において、システム制御マイコン１０３は、差分情報をモニタ１１９に表示することにより、ユーザに通知する。また、モニタ１１９に「削除しますか？」等のメッセージを表示する。
ステップＳ５０５において、システム制御マイコン１０３は、ユーザ操作部１０２を通じてユーザから操作を検出し、「はい」指示が入力された場合、ステップＳ５０６に進み、該クリップデータ１１３の削除を実行する。その後、処理終了となる。「いいえ」指示が入力された場合、該クリップデータ１１３の削除は実行せず、処理終了となる。
【００２６】
なお、ステップＳ４０５で記録され、ステップＳ５０２で取得される差分情報は、図３に示したように、解像度情報、ビットレート情報、フレームレート情報を含む。それ以外にも、アスペクト比情報、レターボックス設定情報、サイドブラック設定情報、サイドクロップ設定情報、カラーサンプリング情報等、動画像データのデータファイルサイズに影響する各種画像情報を用いても良い。
【００２７】
以上のように、削除処理を実行する前に、削除対象のクリップデータに記録された差分情報に基づいて、差分なくバックアップされている場合に削除を許可するようにした。これにより、的確な削除処理を実行できる。
例えばバックアップは実施されているものの、バックアップ画像データは解像度を低くしている場合、バックアップ元の画像データを削除してしまい、解像度が低い画像データしか残らない、といった状況を回避することができる。情報量を多く持った画像データから、情報量を減らした画像データを作成することは容易である。それに対し、情報量を減らした画像データから、情報量を増やした画像データを生成することは困難である。本実施形態により、バックアップ元の画像データの持つ情報量に対して、情報量が減ったバックアップ画像データしか残らない、といった状況を回避することができる。
【００２８】
以上説明したように、画像データを外部の記録メディアにバックアップしたり、バックアップ元の画像データを削除したりする際に、その都度記録メディア側と通信しなくても、無駄なバックアップを回避したり、画像データを的確に削除したりすることが可能になる。
具体的には、以下の様な状況において、画像データの削除を的確に実施することができる。
従来の技術においては、画像保管サーバ等との通信が困難な状況下においては、画像保管サーバに保存されているバックアップ画像データの記録条件情報を取得することができなかった。そのため、バックアップ元の画像データと同一又は同一に近い記録条件でバックアップされているかどうかを判断することができなかった。そのため、携帯型情報機器等に記録されたバックアップ元の画像データを削除するときは、操作者の記憶を頼りに削除実行せざるを得ない場合も多い。その結果、バックアップ元の画像データと同一又は同一に近い記録条件でバックアップされていない状態で、バックアップ元の画像データを削除してしまう場合があった。
それに対し、本発明を適用することにより、携帯型情報機器等に記録されたバックアップ元の画像データに関連付けて差分情報を記録しているので、画像保管サーバ等との通信を行わなくても、バックアップ元の画像データと同一又は同一に近い記録条件でバックアップされているかどうかを判断することができる。これにより、画像データの削除を行う際、その画像データを削除して良いかどうかを的確に判断することができる。その結果、バックアップ元の画像データと同等の情報を失ってしまうことを避けることができる。
【００２９】
また、画像データのバックアップを効率よく実施することができる。
具体的には、以下の様な状況において、画像データのバックアップを効率よく実施することができる。
従来の技術においては、画像保管サーバ等との通信が困難な状況下においては、バックアップ元の画像データと同一又は同一に近い記録条件でバックアップされているかどうかを判断することができず、無駄な重複バックアップを実施してしまう場合があった。
それに対し、本発明を適用することにより、携帯型情報機器等に記録されたバックアップ元の画像データに関連付けて差分情報を記録しているので、画像保管サーバ等との通信を行わなくても、バックアップ元の画像データと同一又は同一に近い記録条件でバックアップされているかどうかを判断することができる。これにより、無駄な重複バックアップの実施を避けることができる。
【００３０】
＜第２の実施形態＞
次に、第２の実施形態を説明する。第２の実施形態に係る動画像処理装置の構成は第１の実施形態と同様であり、その説明を省略する。以下では、第１の実施形態との際を中心に説明する。
図６は、第２の実施形態に係る動画像処理装置１０１によるバックアップ処理の手順を示すフローチャートである。図６のフローチャートは、システム制御マイコン１０３及びバックアップ制御部１０７にて実行される。図４と同じ処理には同一の符号を付し、図４との差異を中心に説明する。
ステップＳ４０１でバックアップ処理開始指示の操作がある場合、ステップＳ４０３に進み、バックアップの実行前に、バックアップ制御部１０７は、バックアップ元となるオリジナルクリップデータ１１３の画像情報を取得する。
ステップＳ４０４において、バックアップ制御部１０７は、バックアップクリップデータの画像情報を取得する。
ステップＳ６０１において、バックアップ制御部１０７は、ステップＳ４０３で取得したオリジナルクリップデータ１１３の画像情報と、ステップＳ４０４で取得したバックアップクリップデータの画像情報とを比較して新規差分情報を検出する。
ステップＳ６０２において、バックアップ制御部１０７は、クリップデータ１１３に記録済の差分情報を取得する。
ステップＳ６０３において、バックアップ制御部１０７は、新規差分情報と記録済みの差分情報とを比較する。新規差分情報の方がオリジナルクリップデータ１１３に対する差分が小さい場合、ステップＳ６０４に進み、クリップデータ１１３のバックアップを実行する。新規差分情報と記録済みの差分情報が等しい、又は記録済みの差分情報の方がオリジナルクリップデータ１１３に対する差分が小さい場合、処理終了となる。
ステップＳ６０５で、バックアップ制御部１０７は、オリジナルクリップデータ１１３に新規差分情報を記録する。その後、処理終了となる。
【００３１】
以上のように、実施済みのバックアップよりも情報量の少ない画像データをバックアップすることを回避でき、無駄なバックアップの実行を回避することが可能となる。
【００３２】
＜第３の実施形態＞
次に、第３の実施形態を説明する。第３の実施形態に係る動画像処理装置の構成は第１の実施形態と同様であり、その説明を省略する。以下では、第１、２の実施形態との際を中心に説明する。
図７は、記録装置１１２、記録媒体Ａ１２１、記録媒体Ｂ１２４に記録されるクリップデータのデータ構造の詳細を説明するための図である。図３と比較すると、差分データ３３１にバックアップ先情報７３６が追加されている。図示例では、バックアップ先が「画像保管サーバ」であることが示されている。実際の設定値は、予め各バックアップ先に関連付けて設定された任意のＩＤ番号となる。
【００３３】
図８は、第３の実施形態に係る動画像処理装置１０１によるバックアップ処理の手順を示すフローチャートである。図８のフローチャートは、システム制御マイコン１０３及びバックアップ制御部１０７にて実行される。図６と同じ処理には同一の符号を付し、図６との差異を中心に説明する。
ステップＳ４０４の後、ステップＳ８０１に進む。ステップＳ８０１において、バックアップ制御部１０７は、バックアップ先情報を取得する。
また、ステップＳ６０５の後、ステップＳ８０２に進む。ステップＳ８０２において、バックアップ制御部１０７は、クリップデータ１１３にバックアップ先情報を記録する。
【００３４】
以上のように、バックアップ先を併せて管理することが可能となり、利便性が更に向上する。バックアップ先をモニタ１１９に表示することにより、操作者は、どの記録メディアにバックアップしたかを知ることが容易となる。特に通信により遠隔地に画像データを送信したい場合、ビットレートを下げてデータ容量を下げたバックアップ画像データを活用すると、短時間で送信が完了するので便利である。そのようなデータ容量を下げたバックアップ画像データがどの記録メディアに保存されているのかを、差分情報と併せて表示することで、容易に把握することが可能となる。
【００３５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
例えば上記実施形態では、本発明に係る画像処理装置として動画像処理装置を例に説明したが、静止画像処理装置でもよい。具体的には、本発明は、デジタルカメラ等の携帯型情報機器やパーソナルコンピュータに適用可能である。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００３６】
１０１：動画像処理装置、１０２：ユーザ操作部、１０３：システム制御マイコン、１０４：再生制御部、１０５：動画像データ管理部、１０６：動画像再生処理部、１０７：バックアップ制御部、１０８：オリジナル画像情報取得部、１０９：バックアップ画像情報取得部、１１０：差分情報検出記録部、１１１：記録媒体制御部、１１２：記録装置、１１３：クリップデータ、１１７：表示制御部、１１８：モニタ表示回路、１１９：モニタ、１３１：通信制御部、１３２：アンテナ、１３３：通信端子
【図１】
2015146170.tif 000003
【図２】
2015146170.tif 000004
【図３】
2015146170.tif 000005
【図４】
2015146170.tif 000006
【図５】
2015146170.tif 000007
【図６】
2015146170.tif 000008
【図７】
2015146170.tif 000009
【図８】
2015146170.tif 000010